【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
所定の撮像フレームレートで撮像された被写体の動画像データを取得する取得手段と、
この取得手段により取得された前記動画像データに対して所定の解析処理を施して、当該動画像データを構成する複数のフレーム画像内で、スロー再生の対象となる複数のフレーム画像からなるスロー再生フレーム部分を特定する特定手段と、
前記動画像データを構成する複数のフレーム画像のうち、前記特定手段により特定された前記スロー再生フレーム部分以外の所定数のフレーム画像について、所定の割合で間引く処理を行う処理手段と、
を備えたことを特徴とする動画像処理装置。
【請求項２】
圧縮・符号化された後の動画像データを記録する記録手段を更に備え、
前記取得手段は、前記記録手段に記録されている動画像データを取得し、
前記特定手段は、前記取得手段により取得された前記動画像データを伸張・復号化することにより得られる複数のフレーム画像に対して所定の解析処理を施して、スロー再生の対象となる複数のフレーム画像からなるスロー再生フレーム部分を特定し、
前記処理手段は、前記間引く処理を行った後の動画像データを再び圧縮・符号化して前記記録手段に記録することを特徴とする請求項１に記載の動画像処理装置。
【請求項３】
前記取得手段は、更に、
動画像データを再生する際に設定される所定の再生フレームレートよりも高速な所定の撮像フレームレートで撮像された被写体の動画像データを取得し、
前記処理手段は、更に、
前記間引く処理として、前記特定手段により特定された前記スロー再生フレーム部分以外の所定数のフレーム画像について、前記再生フレームレートで再生した場合の再生時間を実時間に対応させるように、前記撮像フレームレートと前記再生フレームレートの比に応じた割合で間引くことを特徴とする請求項１または２に記載の動画像処理装置。
【請求項４】
前記処理手段は、更に、
前記特定手段により特定された前記スロー再生フレーム部分のフレーム画像については間引きを行わないか、或いは、前記スロー再生フレーム部分以外のフレーム画像を間引くときの割合よりも低い割合で間引くことを特徴とする請求項１〜３の何れか一項に記載の動画像処理装置。
【請求項５】
前記特定手段は、更に、
前記所定の解析処理により前記動画像データを構成する複数のフレーム画像に亘る被写体の状態変化を検出し、当該動画像データを構成する複数のフレーム画像内で、検出された被写体の状態変化が所定の大きさ以上となっているフレーム画像を前記スロー再生フレーム部分として特定することを特徴とする請求項１〜４の何れか一項に記載の動画像処理装置。
【請求項６】
前記特定手段は、更に、
前記所定の解析処理により各フレーム画像内における特徴部分を特定し、この特定された特徴部分の状態変化が所定の大きさ以上となっているフレーム画像を前記スロー再生フレーム部分として特定することを特徴とする請求項５に記載の動画像処理装置。
【請求項７】
前記特定手段は、更に、前記特定された特徴部分の状態変化の大きさが大きいフレーム画像部分ほどスロー再生の度合いが強くなるように複数段階でスロー再生の度合いを特定し、
前記処理手段は、前記特定手段により特定されたスロー再生の度合いが強いほど間引き率が小さくなるように複数段階で間引き率を変化させることを特徴とする請求項６に記載の動画像処理装置。
【請求項８】
前記特定手段は、更に、
前記所定の解析処理により前記動画像データを構成する複数のフレーム画像間の差分を算出し、前記動画像データを構成する複数のフレーム画像内で、算出された差分の最小値に対する割合が所定の大きさ以上の差分を有するフレーム画像を前記スロー再生フレーム部分として特定することを特徴とする請求項５に記載の動画像処理装置。
【請求項９】
前記特定手段は、更に、
前記所定の解析処理により前記動画像データを構成する複数のフレーム画像の各々にて最も動きの大きい部分を検出し、前記動画像データを構成する複数のフレーム画像内で、検出された最も動きの大きい部分の動きの大きさが所定の大きさ以上であるフレーム画像を前記スロー再生フレーム部分として特定することを特徴とする請求項５に記載の動画像処理装置。
【請求項１０】
前記特定手段は、更に、当該動画像データを構成する各フレーム画像について、スロー再生の度合いを特定し、
前記処理手段は、更に、前記特定手段により特定されたスロー再生の度合いに応じてフレーム画像を間引く割合を変化させることを特徴とする請求項１〜９の何れか一項に記載の動画像処理装置。
【請求項１１】
前記処理手段は、更に、
前記動画像データを構成する複数のフレーム画像のうち、前記特定手段により特定された前記スロー再生フレーム部分のフレーム画像について、前記所定の解析処理の結果、動きの大きいフレーム画像ほど間引く割合が小さくなるように間引き率を制御することを特徴とする請求項１０に記載の動画像処理装置。
【請求項１２】
前記処理手段は、更に、
前記間引く処理にて、前記特定手段により特定された前記スロー再生フレーム部分以外の所定数のフレーム画像に基づいて、前記再生フレームレートで再生される一の代表フレーム画像を生成することを特徴とする請求項１〜１１の何れか一項に記載の動画像処理装置。
【請求項１３】
通常の動画像データを記録する第１の動画記録モードと部分的なスロー再生に対応した動画像データを記録する第２の動画記録モードのいずれかを選択的に設定するモード設定手段と、
このモード設定手段により前記第２の動画記録モードが設定されている場合は、前記所定の再生フレームレートよりも高速な撮像フレームレートを自動的に設定して動画像データを記録するとともに、この記録された動画像データを前記取得手段により取得して前記特定手段および前記処理手段による処理を自動的に実行するように制御し、前記モード設定手段により前記第１の動画記録モードが設定されている場合は、前記所定の再生フレームレートと同じ撮像フレームレートで動画像データを記録した後に前記特定手段および前記処理手段による処理を自動的に実行しないように制御する制御手段と、を更に備えたことを特徴とする請求項１〜１２の何れか一項に記載の動画像処理装置。
【請求項１４】
動画像処理装置を用いた動画像処理方法であって、
所定の撮像フレームレートで撮像された被写体の動画像データを取得するステップと、
取得された前記動画像データに対して所定の解析処理を施して、当該動画像データを構成する複数のフレーム画像内で、スロー再生の対象となる複数のフレーム画像からなるスロー再生フレーム部分を特定するステップと、
前記動画像データを構成する複数のフレーム画像のうち、特定された前記スロー再生フレーム部分以外の所定数のフレーム画像について、所定の割合で間引く処理を行うステップと、
を含むことを特徴とする動画像処理方法。
【請求項１５】
動画像処理装置のコンピュータを、
所定の撮像フレームレートで撮像された被写体の動画像データを取得する取得手段、
この取得手段により取得された前記動画像データに対して所定の解析処理を施して、当該動画像データを構成する複数のフレーム画像内で、スロー再生の対象となる複数のフレーム画像からなるスロー再生フレーム部分を特定する特定手段、
前記動画像データを構成する複数のフレーム画像のうち、前記特定手段により特定された前記スロー再生フレーム部分以外の所定数のフレーム画像について、所定の割合で間引く処理を行う処理手段、
として機能させることを特徴とするプログラム。